(57)【特許請求の範囲】
【請求項１】
配管を切断機で切断する際に用いられる配管切断用治具であって、
前記切断機で切断される前記配管の部分を収容する収容箱と、
該収容箱内を負圧にする負圧機構に接続される接続部と、
該収容箱に前記配管を保持する保持部と、
前記収容箱上で前記配管を切断する方向に設けられ前記切断機の刃部を前記収容箱内に受け入れるスリットとを備え、
前記収容箱に前記切断機の切断方向への移動を案内するガイドレールが設けられ、
該ガイドレールに、前記切断機が前記収容箱から前記スリットが設けられた面に対して垂直な方向に離隔することを阻止する掛止部が設けられたことを特徴とする配管切断用治具。
【請求項２】
請求項１に記載の配管切断用治具を用いて配管を切断するための切断機であって、
前記スリットを閉塞する閉塞板を備え、前記切断方向における該閉塞板の端部に折曲自在な折曲部を設けたことを特徴とする切断機。
【発明の詳細な説明】
【技術分野】
【０００１】
本発明は、配管を切断する際に用いられる治具及び切断機に関する。
【背景技術】
【０００２】
従来、配管等を切断する切断機が知られている。この切断機を用いて原子力発電所等の既設配管を切断する場合には、配管内が放射性物質等の有害物質で汚染されているため、配管の切断時に飛び散る切粉と共にこの有害物質が飛散し環境汚染につながる虞がある。このため、従来は配管を切断する前に周囲を養生などで覆い、有害物質が飛散しても環境汚染につながらない様に注意する必要があり、配管を切断するための準備作業が面倒であった。
【発明の開示】
【発明が解決しようとする課題】
【０００３】
本発明は、以上の点に鑑み、作業性を向上させた配管切断用治具及び切断機を提供することを目的とする。
【課題を解決するための手段】
【０００４】
上記目的を達成するため、本発明は、配管を切断機で切断する際に用いられる配管切断用治具であって、切断機で切断される配管の部分を収容する収容箱と、収容箱内を負圧にする負圧機構に接続される接続部と、収容箱に配管を保持する保持部と、収容箱上で配管を切断する方向に設けられ切断機の刃部を収容箱内に受け入れるスリットとを備えることを特徴とする。
【０００５】
本発明によれば、切断機で切断される配管の部分が収容箱に収容されるため、配管の切断時に飛散する切粉は全て収容箱に収容される。また、スリットから切粉が外部に飛散する虞もあるが、本発明においては、接続部に負圧機構を接続することにより収容箱内を負圧状態とすることができるので、スリットからの切粉の飛散を抑制することができる。従って、本発明によれば、従来と異なり、内部が放射性物質等の有害物質で汚染された配管を切断する前に養生などにより周囲の環境汚染対策を施す準備作業を省くことができ、作業性を向上させることができる。
【０００６】
また、本発明の配管切断用治具を用いて切断機により配管の切断を行う場合には、切断機のケーシングの底面等でスリットを閉塞すれば、スリットからの切粉の飛散をより抑制することができる。しかしながら、配管切断時の切断機の刃部の回転力の影響等により、スリットが設けられた収容箱の面から切断機のケーシングの底面等が浮き上がってしまうと、スリットからの切粉の飛散を抑制させる効果が得られない。このため、使用者は、切断機が浮き上がらないように切断機を配管切断用治具に押し付けて作業する必要があり、面倒である。
【０００７】
この場合、収容箱に切断機の切断方向への移動を案内するガイドレールを設け、ガイドレールに、収容箱から切断機が収容箱のスリットが設けられた面に対して垂直な方向に離隔することを阻止する掛止部を設ければ、掛止部により切断機の収容箱に対する浮き上がりが防止されると共に、ガイドレールに沿って切断機を移動させるだけで配管を切断することができ、利便性を向上させることができる。
【０００８】
また、切断機に、配管切断用治具のスリットを閉塞する閉塞板を設ければ、スリットからの切粉の飛散をより確実に防止することができる。
【０００９】
ここで、切断機に前記閉塞板を設ける場合には、切断機を切断方向に移動させ配管の切断を完了するまでの全ての位置で閉塞板によりスリットを閉塞する必要があり、閉塞板は切断方向に長く延びることとなる。しかしながら、既設配管を切断する際に、配管の切断方向に他の配管や壁などの障害物があってスペースがとれない場合、閉塞板が障害物に接触して切断機を使用できないことになる。
【００１０】
この場合、切断方向における閉塞板の端部に折曲自在な折曲部を設ければ、閉塞板の切断方向端部が折曲自在となるため、配管の切断方向のスペースが比較的小さい場合であっても、閉塞板を折り曲げることにより閉塞板が障害物に接触することなく切断機を使用することができる。
【発明を実施するための最良の形態】
【００１１】
図１〜図３を参照して、本発明の配管切断用治具及び切断機の実施形態を説明する。図１において、１は実施形態の配管切断用治具、２は実施形態のチップソーや切断砥石等の切断機、Ｐは原子力発電所等の原子力関連施設に設けられ内部が放射性物質で汚染された配管である。
【００１２】
配管切断用治具１は長方形状で中空の収容箱３を備える。収容箱３は、前方が開口する有底角筒状の箱本体３１と後方が開口する有底角筒状の蓋体３２とで構成される。箱本体３１と蓋体３２とは両開口端縁を重合わせた状態で蝶番（図示省略）により底壁部端縁同士を連結させている。収容箱３の両側壁部外面には、箱本体３１と蓋体３２との両開口端縁を重合わせた状態を解除自在に維持するレバーキャッチ３ａが設けられている。レバーキャッチ３ａを解除することにより、図２に示すように、蓋体３２が箱本体３１に対して下方へ揺動自在となる。
【００１３】
蓋体３２の両側壁の開口端部には、横方向（配管Ｐの軸線方向）外方へ延びると共に前方へ凹んだ樋状部３２ａ，３２ａが収容箱３内に連通させて設けられている。箱本体３１の両側壁の開口端部には、横方向外方へ延びると共に後方へ凹んだ樋状部３１ａ，３１ａが収容箱３内に連通させて設けられている。箱本体３１の各樋状部３１ａと蓋体３２の各樋状部３２ａとは、箱本体３１と蓋体３２との両開口端縁を重合わせた状態で、収容箱３内に連通する１つの筒状体を構成し、配管Ｐを保持する保持部として機能する。
【００１４】
収容箱３の上壁部には長手方向に延びるスリット４が設けられている。収容箱３の後壁部には、スリット４に連続し下方へ延びるスリット４ａが設けられると共に、このスリット４ａを閉塞する蓋板３１ｂが蝶番３１ｄ（図２参照）を介して開閉自在に設けられている。蓋板３１ｂには蝶ネジ３３ａを挿通自在な貫通孔３３ｂが形成され、蝶ネジ３３ａを貫通孔３３ｂを介して収容箱３の後壁部に形成されたネジ孔３３ｃに螺合させることにより、蓋板３１ｂによるスリット４ａの閉塞状態が維持される。また、箱本体３１の底壁部には、箱本体３１内に連通し、負圧機構としての図外のＨＥＰＡフィルタ付真空掃除機と接続自在な接続部３１ｃが設けられている。
【００１５】
収容箱３の上面長手方向両側縁にはガイドレール５が設けられている。ガイドレール５，５は、上端から横方向内方に向かって延びる掛止部５ａを有し、断面Ｌ字状となっている。
【００１６】
切断機２の底面には切断機２の刃部（図示省略）を下方へ露出させる開口部（図示省略）を有する閉塞板６が設けられている。閉塞板６の切断方向両端部には、複数の折曲片６１ａが互いに上下方向へ揺動自在に連結されて構成される折曲部６１が設けられている。また、閉塞板６の横方向側縁には、横方向外方へ突出しガイドレール５の掛止部５ａと収容箱３の上面との間に挿入自在な突片６ａが４つ設けられている。
【００１７】
次に、実施形態の配管切断用治具及び切断機の使用方法について説明する。まず、レバーキャッチ３ａを解除し、図２に示すように、蓋体３２を下方へ揺動させる。そして、既設配管Ｐの手前側を樋状部３１ａ，３１ａに嵌合させる。そして、蓋体３２を上方へ揺動させて樋状部３２ａ，３２ａを既設配管Ｐの奥側に嵌合させレバーキャッチ３ａにより箱本体３１と蓋体３２とを固定する。このようにして、既設配管Ｐは樋状部３１ａ，３２ａに挟まれて保持される。
【００１８】
次に、収容箱３の後壁部に設けられた蓋板３１ｂを開きスリット４ａを開口させる。そして、切断機２を突片６ａがガイドレール５の掛止部５ａと収容箱３の上面との間に挿入するように収容箱３の後方から差し込む。このとき、切断機２の刃部（図示省略）はスリット４ａを介して収容箱３内に配置される。そして蓋板３１ｂを閉じて蝶ネジ３３ａで固定しスリット４ａを閉塞する。このとき、図３に示すように、閉塞板６の後方端部の折曲部６１は重力により下方に垂れ下がる。これにより、使用者が切断機２を把持して配管Ｐを切断する際に、閉塞板６が邪魔にならない。
【００１９】
そして、接続部３１ｃに図外のＨＥＰＡフィルタ付真空掃除機を接続し、収容筺３内を負圧状態とする。そして、切断機２をガイドレール５に沿って移動させ、既設配管Ｐの切断を行う。
【００２０】
実施形態の配管切断用治具１によれば、切断機２で切断される既設配管Ｐの部分が収容箱３に収容されるため、既設配管Ｐの切断時に飛散する切粉や火花は全て収容箱３に収容される。また、配管切断用治具１は、負圧機構としてのＨＥＰＡフィルタ付真空掃除機を接続部３１ｃに接続することにより収容箱３内を負圧状態とすることができるので、スリット４からの切粉や火花の飛散を抑制することができる。従って、配管切断用治具１によれば、従来と異なり、既設配管Ｐを切断する前に防火材製の養生などにより周囲の環境汚染や火災に対する対策を施す準備作業を省くことができ、作業性を向上させることができる。
【００２１】
また、実施形態の切断機２では、配管切断用治具１のスリット４を閉塞する閉塞板６を設け、閉塞板６の切断方向両端部に折曲自在な折曲部６１を設けている。これにより、スリット４からの切粉や火花の飛散をより確実に防止することができると共に、閉塞板６の切断方向両端部が折曲自在となるため、既設配管Ｐの周囲のスペースが比較的小さい場合であっても、閉塞板６の折曲部６１が重力により下方へ垂下することにより、閉塞板６を障害物に接触させることなく切断機２を使用することができる。
【００２２】
ところで、単に切断機２に設けた閉塞板６により配管切断用治具１のスリット４を閉塞する場合、配管Ｐを切断する際に、切断機２の刃部の回転力の影響で切断機２が収容箱３の上面から浮き上がり、閉塞板６によるスリット４の閉塞が解除される虞がある。従って、使用者は、収容箱３の上面から閉塞板６が浮き上がらないように切断機２を配管切断用治具１に押し付ける必要があり、面倒である。
【００２３】
そこで、実施形態の配管切断用治具１では、収容箱３に切断機２の切断方向への移動を案内するガイドレール５，５を設け、ガイドレール５，５の上端に横方向内方へ突出する掛止部５ａを設けると共に、切断機２の閉塞板６に掛止部５ａと収容箱３の上面との間に挿入される突片６ｂを設け、掛止部５ａと突片６ｂとを係合させることにより切断機２の収容箱３に対する浮き上がりを防止している。これにより、使用者はガイドレール５，５に沿って切断機２を切断方向へ移動させるだけで配管Ｐを切断することができ、利便性を向上させることができる。
【００２４】
尚、実施形態においては、手動により切断機２を切断方向へ移動させるものを説明したが、治具１と切断機２とを一体化し、遠隔操作により切断機２がガイドレール５に沿って切断方向へ進退するように構成してもよい。この場合、例えば、切断機２を遠隔操作により切断方向に移動させる移動機構、及び切断機２の位置を検出する位置検出機構を設ければよい。
【００２５】
また、配管Ｐの径は大小様々であるが、保持部３１ａ，３２ａの内径は切断が想定される配管Ｐの一番大きな径に合わせておき、小さい径の配管に対しては半割カラー等を樋状部３１ａ，３２ａ内に嵌合させ樋状部３１ａ，３２ａの実質的な内径を小さくすることにより対応すれば、径の異なる複数種の配管を保持部３１ａ，３２ａで保持させることができる。
【００２６】
また、実施形態の切断機２においては、折曲部６１として複数の折曲片６１ａを互いに上下方向へ揺動自在に連結したものを説明したが、折曲部６１は切粉や火花の飛散を防止し折曲自在であるものであれば他のものであってもよく、例えば、折曲部６１を金属繊維製で折曲自在なもので構成しても本発明の効果を得ることができる。
【図面の簡単な説明】
【００２７】
【図１】本発明の配管切断用治具及び切断機の実施形態を示す斜視図。
【図２】実施形態の配管切断用治具を示す斜視図。
【図３】実施形態の配管切断用治具に切断機を取り付けた状態を示す斜視図。
【符号の説明】
【００２８】
１…配管切断用治具、  ２…切断機、  ３…収容箱、  ３ａ…レバーキャッチ、  ３１…箱本体、  ３１ａ…樋状部、  ３１ｂ…蓋板、  ３１ｃ…接続部、  ３１ｄ…蝶番、  ３２…蓋体、  ３２ａ…樋状部、  ３３ａ…蝶ネジ、  ３３ｂ…貫通孔、  ３３ｃ…ネジ穴、  ４，４ａ…スリット、  ５…ガイドレール、  ５ａ…掛止部、  ６…閉塞板、  ６ａ…突片、  ６１…折曲部、  ６１ａ…折曲片、  Ｐ…既設配管。
【図１】
0005181204.tif 000002
【図２】
0005181204.tif 000003
【図３】
0005181204.tif 000004